(57)【特許請求の範囲】
【請求項１】
浴槽と追焚き用の加熱部との間で湯を循環させ且つ前記浴槽の構成壁に並設された吐出口及び吸引口で前記浴槽内に連通する追焚き循環用回路と、前記循環により前記吸引口から前記追焚き循環用回路に流入する戻り湯を濾過するように前記吸引口に被せられたフィルターとを具備する風呂追焚き装置において、
前記追焚き循環用回路の前記吸引口から前記加熱部までの復路にて前記戻り湯の温度の単位時間当りの上昇率が所定値以上に達したときに前記フィルターが目詰り状態にあると判定し、
前記所定値は、前記加熱部での単位時間当りの追焚き加熱量を、前記浴槽内にて前記吐出口及び前記吸引口が水没して追焚き可能となる最小貯湯量で除した値であるフィルター目詰り検知方法。
【請求項２】
浴槽と追焚き用の加熱部との間で湯を循環させ且つ前記浴槽の構成壁に並設された吐出口及び吸引口で前記浴槽内に連通する追焚き循環用回路と、前記循環により前記吸引口から前記追焚き循環用回路に流入する戻り湯を濾過するように前記吸引口に被せられたフィルターとを具備する風呂追焚き装置に用いられ、
前記追焚き循環用回路の前記吸引口から前記加熱部までの復路にて前記戻り湯の温度を検知する温度検知手段と、
前記検知された温度に基づいて前記戻り湯の温度の単位時間当りの上昇率を検出する検出手段と、
前記検出された上昇率が所定値以上に達したときに前記フィルターが目詰り状態にあると判定する判定手段と、を具備し、
前記所定値は、前記加熱部での単位時間当りの追焚き加熱量を、前記浴槽内にて前記吐出口及び前記吸引口が水没して追焚き可能となる最小貯湯量で除した値とするフィルター目詰り検知装置。
【請求項３】
前記風呂追焚き装置は、前記判定手段の判定出力に応答して、前記フィルターの目詰りに対処する手段を能動化する機能を有する請求項２に記載のフィルター目詰り検知装置。
【請求項４】
前記風呂追焚き装置は、前記温度検知手段により検知された前記戻り湯の温度が追焚き設定温度に達したことに応答して前記追焚き循環用回路及び前記加熱部での追焚き動作を終了させる機能を有する請求項３に記載のフィルター目詰り検知装置。
【請求項５】
前記フィルターの目詰りに対処する手段は報知器である請求項３又は４に記載のフィルター目詰り検知装置。
【発明の詳細な説明】
【０００１】
【発明の属する技術分野】
この発明は、フィルター目詰り検知方法、特に、浴槽に設けられた追焚きの為の吸引口に被せられたフィルターの目詰り状態を検知するフィルター目詰り検知方法に関するものである。又、フィルター目詰り検知装置、特に、前記目詰り状態を検知するフィルター目詰り検知装置に関するものである。
【０００２】
【従来の技術】
図８は、従来の風呂追焚き装置の構成の概要を示す図である。
同図に示す従来の風呂追焚き装置には、浴槽(8) と熱交換器(90a) との間で湯を循環させる為の追焚き循環用回路(9a)が備えられており、この追焚き循環用回路(9a)は、浴槽(8) の構成壁に並設された吐出口(93)及び吸引口(94)で浴槽(8) 内に連通している。
【０００３】
又、この追焚き循環用回路(9a)には、湯を強制循環させる為のポンプ(97)が備えられており、熱交換器(90a) は、ガスバーナ(99)で加熱される構成となっている。従って、浴槽(8) 内の湯は、吸引口(94)を通じて追焚き循環用回路(9a)の復路(92)に吸い込まれて、熱交換器(90a) で加熱された後に、追焚き循環用回路(9a)の往路(91)から吐出口(93)を通じて浴槽(8) 内に吐出される。
【０００４】
このとき、吐出口(93)から吐出された湯が浴槽(8) 内で同図の矢印(F1)のように流れ、又、浴槽(8) 内から吸引口(94)に吸い込まれる湯が同図の矢印(F2)のように流れることから、浴槽(8) 内で湯が大きく循環（以下、「通常循環」と称する）する状態となる。この状態では、吐出口(93)から吐出された高温の湯が浴槽(8) 内の湯に混ざって、この浴槽(8) 内の湯が全体的に昇温される。
【０００５】
そして、この風呂追焚き装置には、浴槽(8) 内から復路(92)に流入した戻り湯の温度を復路(92)にて検知する温度センサー(96)と、この温度センサー(96)で検知される戻り湯の温度が追焚き設定温度に達した時点で追焚き動作を終了させる自動終了機能と、が備えられている。
尚、上記した吸引口(94)には、浴槽(8) 内から復路(92)への戻り湯を濾過するフィルター(95)が被せられており、これによって、浴槽(8) 内の毛髪等の汚物が復路(92)内に侵入しない。
【０００６】
【発明が解決しようとする課題】
ところが、この風呂追焚き装置では、その使用期間が長くなるにつれてフィルター(95)に捕集される汚物の量が増えると、吸引口(94)から追焚き循環用回路(9a)への戻り湯の吸引量が少なくなって、追焚き循環用回路(9a)での湯の循環量が少なくなり、これによって、吐出口(93)から浴槽(8) 内への湯の吐出量が少なくなる。従って、吐出口(93)から吐出された湯は、同図の矢印(F3)のように浴槽(8) 内で吸引口(94)に短絡的に流れ込む（以下、これを「短絡循環」と称する）ようになる。
【０００７】
そして、この短絡循環状態では、浴槽(8) 内の湯が殆ど昇温されないまま、復路(92)内の戻り湯の温度が急激に上昇して上記自動終了機能により追焚き動作が終了するものとなる。
一方、上記自動終了機能を備えないものでは、上記短絡循環状態になると、浴槽(8) 内の湯が十分に昇温されないものとなる。
【０００８】
本発明の第１の課題は、フィルターの目詰り状態を簡単な方法により確実に検知できるようにすることである。
本発明の第２の課題は、フィルターの目詰り状態を簡単な装置により確実に検知できるようにすることである。
［１項］
【０００９】
【課題を解決するための手段】
前述した第１の課題を解決するために講じた本発明の解決手段は、『浴槽と追焚き用の加熱部との間で湯を循環させ且つ前記浴槽の構成壁に並設された吐出口及び吸引口で前記浴槽内に連通する追焚き循環用回路と、前記循環により前記吸引口から前記追焚き循環用回路に流入する戻り湯を濾過するように前記吸引口に被せられたフィルターとを具備する風呂追焚き装置において、
前記追焚き循環用回路の前記吸引口から前記加熱部までの復路にて前記戻り湯の温度の単位時間当りの上昇率が所定値以上に達したときに前記フィルターが目詰り状態にあると判定し、
前記所定値は、前記加熱部での単位時間当りの追焚き加熱量を、前記浴槽内にて前記吐出口及び前記吸引口が水没して追焚き可能となる最小貯湯量で除した値であるフィルター目詰り検知方法』である。
【００１０】
このものでは、フィルターでの汚物の捕集量が増えると、吐出口から吐出された湯が吸引口に短絡的に流れ込む上記短絡循環状態となって、前記復路での前記戻り湯の温度の単位時間当りの上昇率が、上記通常循環状態の場合の上昇率に比べて大きくなる。そして、前記捕集量の増大に伴って、前記上昇率が次第に大きくなって所定値以上に達する。
【００１１】
このとき、所定値を、フィルターの目詰り状態に対応した値に設定しておくと、前記上昇率が前記所定値以上に達したときに、フィルターが前記目詰り状態にあると判定されたものとなる。
すなわち、前記所定値は、前記加熱部での単位時間当りの追焚き加熱量を、前記浴槽内にて前記吐出口及び前記吸引口が水没して追焚き可能となる最小貯湯量で除した値である。
このものでは、前記所定値は、上記加熱部での加熱量の全てを浴槽内の最小貯湯量の湯に付与した場合に於ける浴槽内の湯の温度の上昇率を意味するから、浴槽内の湯が最小貯湯量以上あるときに、浴槽内の湯の温度の上昇率、つまり、上記通常循環での戻り湯の温度の上昇率は、前記所定値よりも小さくなる。従って、戻り湯の温度の上昇率がこの所定値に達した状態でフィルターが所定以上の目詰り度合いにあることとなる。
また、このものでは、様々な仕様の浴槽及び追焚き循環用回路に対応させる際、各々の追焚き加熱量及び最小貯湯量が容易にわかるから、これらから前記所定値を簡単に求めることができる。
尚、上記追焚き循環用回路としては、浴槽との間で湯を循環させるものであるかぎり、湯を強制的に循環させるものや、湯の自然対流作用を用いて循環させるものを含む。又、加熱部としては、熱交換器やヒータ等を含む。
【００１２】
【発明の効果】
本発明では、上記したように、フィルターの目詰り状態を上記戻り湯の温度の単位時間当りの上昇率が所定値以上に達したことで検知できるから、この目詰り状態を簡単な方法で確実に検知できるものとなる。
【００１４】
［２項］
上記した第２の課題を解決するために講じた本発明の解決手段は、『浴槽と追焚き用の加熱部との間で湯を循環させ且つ前記浴槽の構成壁に並設された吐出口及び吸引口で前記浴槽内に連通する追焚き循環用回路と、前記循環により前記吸引口から前記追焚き循環用回路に流入する戻り湯を濾過するように前記吸引口に被せられたフィルターとを具備する風呂追焚き装置に用いられ、
前記追焚き循環用回路の前記吸引口から前記加熱部までの復路にて前記戻り湯の温度を検知する温度検知手段と、
前記検知された温度に基づいて前記戻り湯の温度の単位時間当りの上昇率を検出する検出手段と、
前記検出された上昇率が所定値以上に達したときに前記フィルターが目詰り状態にあると判定する判定手段と、を具備し、
前記所定値は、前記加熱部での単位時間当りの追焚き加熱量を、前記浴槽内にて前記吐出口及び前記吸引口が水没して追焚き可能となる最小貯湯量で除した値とするフィルター目詰り検知装置』である。
【００１５】
このものでは、前記復路での前記戻り湯の温度が温度検知手段により検知され、この検知された温度に基づいて、検出手段で前記戻り湯の温度の単位時間当りの上昇率が検出される。
そして、フィルターでの汚物の捕集量が増えて短絡循環状態となると、前記上昇率が通常循環状態の場合の上昇率に比べて大きくなる。そして、前記捕集量の増大に伴って、前記上昇率が次第に大きくなって所定値以上に達する。
【００１６】
このとき、所定値を、フィルターの目詰り状態に対応した値に設定しておくと、前記上昇率が前記所定値以上に達したときに、判定手段によって、フィルターが目詰り状態にあると判定される。
このものでは、フィルターの目詰り状態を上記戻り湯の温度の単位時間当りの上昇率が所定値以上に達したことで検知できるから、この目詰り状態を簡単な装置で確実に検知できるものとなる。
【００１７】
［３項］
上記２項に於いて、『前記風呂追焚き装置は、前記判定手段の判定出力に応答して、前記フィルターの目詰りに対処する手段を能動化する機能を有する』ものでは、前記判定手段の判定出力に応答して、フィルターの目詰りに対処する手段が能動化される。
【００１８】
この『目詰りに対処する手段が能動化される』とは、例えば、ブザーやＬＥＤを作動状態とし、これによって、フィルターの掃除の必要性を使用者に知らせるものや、フィルターに捕集された汚物を取り除く除去装置を作動状態とするものや、追焚き動作モードを変更して追焚き循環用回路での湯の強制循環流量を増大させる機能を能動化するものを含む。
【００１９】
このものでは、上記したように、フィルターが目詰り状態になると、その旨が判定されて、フィルターの目詰りに対処する手段が能動化されるから、前記目詰り状態となって追焚き動作が不完全状態に陥ったときに、この不完全状態を継続させないようにできる。
［４項］
上記３項に於いて、『前記風呂追焚き装置は、前記温度検知手段により検知された前記戻り湯の温度が追焚き設定温度に達したことに応答して前記追焚き循環用回路及び前記加熱部での追焚き動作を終了させる機能を有する』ものでは、浴槽内全体の湯の温度が追焚き設定温度に達しない状態のまま、上記短絡循環により前記戻り湯の温度が追焚き設定温度に達して追焚き動作が終了するような不完全状態を継続させないようにできる。
【００２０】
［５項］
上記３項又は４項に於いて、『前記フィルターの目詰りに対処する手段は報知器である』ものでは、フィルターが目詰り状態にあることが判定手段で判定されると、その判定出力に応答して報知器が作動状態となるから、使用者は、前記目詰り状態にあることがわかる。そして、使用者がフィルターの掃除や交換を行うと、フィルターの目詰り状態が解消される。
【００２１】
このものでは、フィルターの掃除や交換の必要性のあるときに、その旨が自動的に報知されるから、使用者は、前記必要性が容易にわかるものとなる。
尚、上記３項又は４項に於いては、この５項の他、『前記フィルターの目詰りに対処する手段は、フィルターを洗浄する洗浄器である』ものでもよい。
【００２２】
【発明の実施の形態】
以下、本願発明の実施の形態を、図面に基づいて説明する。
図１は、本願発明の実施の形態に於ける風呂追焚き装置の構成の概要を示す図であり、図２は、図１の風呂追焚き装置の循環口金(1) の組立斜視図である。
図１に示すように、この風呂追焚き装置は、浴槽(8) と器具本体(100) 内の熱交換器(33)との間で湯を循環させる為の追焚き循環用回路(3a)を具備しており、この追焚き循環用回路(3a)は、浴槽(8) の側壁(81)に装着された循環口金(1) にて相互に隣接する吐出口(1a)及び吸引口(1b)で浴槽(8) 内に連通している。
【００２３】
尚、吐出口(1a)は、追焚き循環用回路(3a)に於ける熱交換器(33)から浴槽(8) 内への往路(31)の最下流端にあり、吸引口(1b)は、追焚き循環用回路(3a)に於ける浴槽(8) 内から熱交換器(33)への復路(32)の最上流端にある。
［器具本体(100) について］
前記した復路(32)に於ける循環口金(1) よりも下流側の管路には、図１に示すように、復路(32)及び往路(31)を通じて湯を強制循環させる為のポンプ(37)が備えられている。そして、熱交換器(33)は、ガスバーナ(34)で加熱される構成となっている。
【００２４】
又、復路(32)に於ける循環口金(1) よりも下流側の管路には、湯の循環流れの有無を検知する為の水流スイッチ(36)と、浴槽(8) 内から復路(32)に流入した戻り湯の温度を検知する為の温度センサー(4) と、が設けられている。
更に、器具本体(100) には、給湯の為の給湯回路(2a)が備えられており、この給湯回路(2a)には、ガスバーナ(24)で加熱される給湯用の熱交換器(23)が備えられている。この給湯回路(2a)によって、熱交換器(23)で加熱された湯が浴室のカラン等に供給される。
【００２５】
又、この給湯回路(2a)と上記の追焚き循環用回路(3a)との間には、熱交換器(23)で加熱された湯を追焚き循環用回路(3a)を介して浴槽(8) 内に供給する為の湯張り給湯回路(25)が設けられている。
［循環口金(1) について］
上記した循環口金(1) は、図２に示すように、吐出口(1a)及び吸引口(1b)を有する口金本体(10)と、この口金本体(10)の吸引口(1b)に被せられるフィルター(1c)と、このフィルター(1c)を口金本体(10)との間で挟持するように口金本体(10)に取外し可能に装着されるカバー体(12)と、を具備する構成となっている。
【００２６】
口金本体(10)は、図２に示すように、中空円板状の第１部分(10a) と、この第１部分(10a) の一面から突出し且つ第１部分(10a) に連通する円筒状の第２部分(10b) と、からなり、図１に示すように、第１部分(10a) が浴槽(8) の側壁(81)に対して内側から接すると共に、第２部分(10b) が側壁(81)に貫通してその外側に突出する構成となっている。
【００２７】
そして、図２に示すように、第２部分(10b) の外方端部には、上記した復路(32)を構成する管路が接続されており、第１部分(10a) の正面板(101) には複数の開口が形成されている。従って、前記開口が上記した吸引口(1b)を構成し、又、これら第１部分(10a) 及び第２部分(10b) が復路(32)の一部を構成している。
又、第１部分(10a) 及び第２部分(10b) の内部には、これらに跨って挿通され且つ往路(31)を構成する管路が連通接続された供給管(11)が設けられており、これの下流端は、第１部分(10a) の周壁(102) を通じて下方に開放している。従って、供給管(11)の下流端が上記した吐出口(1a)を構成し、又、供給管(11)が往路(31)の一部を構成している。
【００２８】
上記したフィルター(1c)は、浴槽(8) 内から復路(32)への戻り湯を濾過してこの戻り湯から毛髪等の汚物を捕集する為のものであり、図２に示すように、正面板(101) の吸引口(1b)群の全てを覆う大きさの円板状に形成されている。
更に、カバー体(12)は、第１部分(10a) を正面側から覆う円形皿状に形成されており、このカバー体(12)には、第１部分(10a) への装着状態で吐出口(1a)を浴槽(8) 内に連通させる為の切欠部(12a) と、前記装着状態で吸引口(1b)を浴槽(8) 内に連通させる為の複数の開口(12b) と、が形成されている。
【００２９】
［リモコンユニット(6) について］
この風呂追焚き装置には、図１に示すように、浴室に設置され且つ器具本体(100) を操作する為のリモコンユニット(6) が備えられており、このリモコンユニット(6) には、使用者が追焚き動作の開始等を指示する為の追焚きスイッチ(61)、自動追焚きスイッチ(62)及びリセットスイッチ(64)などが備えられている。又、このリモコンユニット(6) には、ＬＥＤからなる目詰りランプ(63)が備えられている。
【００３０】
［追焚き制御回路(5) について］
更に、上記した器具本体(100) には、その追焚き動作を制御する為の追焚き制御回路(5) が備えられている。この追焚き制御回路(5) は、マイクロコンピューターを備えた構成であり、これに格納された追焚き制御プログラムに従って前記追焚き動作が実行されるようになっている。
【００３１】
［追焚き動作について］
図３は、図１の追焚き装置の追焚き制御プログラムを示すフローチャートであり、図４は、図３の温度監視ルーチンを示すフローチャートであり、図５は、図３の補助湯張ルーチンを示すフローチャートである。
以下、これらフローチャートに従って追焚き動作を説明する。
【００３２】
このものでは、図３のフローチャートに示すように、リモコンユニット(6) の追焚きスイッチ(61)がオンされると、ポンプ(37)が作動した後にガスバーナ(34)が点火されてガス燃焼が開始される（ステップ(S11)(S12)(S15) ）。
この状態では、図１に示すように、浴槽(8) 内の湯は、同図の矢印(M2)のように吸引口(1b)を通じて復路(32)に吸い込まれて、熱交換器(33)で加熱された後に、往路(31)から吐出口(1a)を通じて浴槽(8) 内に吐出されて同図の矢印(M1)のように流れるものとなり、浴槽(8) 内の湯が既述の通常循環の状態となる。
【００３３】
従って、吐出口(1a)から吐出された高温（例えば、約８０℃）の湯が浴槽(8) 内の湯に混ざって、浴槽(8) 内の湯が全体的に昇温されるものとなる。この昇温に伴って浴槽(8) 内から復路(32)への戻り湯の温度も上昇することとなり、この戻り湯の温度が温度センサー(4) で検知される。
一方、図３のフローチャートに示すように、上記ガス燃焼状態では、戻り湯の温度を監視する温度監視ルーチン（ステップ(S19) ）が実行される。
【００３４】
尚、これに先立って、燃焼開始からの時間を計測する第１タイマー、及び、燃焼開始から１分毎の時間を計測する為の第２タイマーをオンとする（ステップ(S16) ）。又、上記戻り湯の温度の単位時間あたりの上昇率(P) の初期値を「０」とし、燃焼開始から１分毎の上昇率(P) の算出に用いる第１温度データ(T1)の初期値を燃焼開始時での温度センサー(4) の検知温度(T) とする（ステップ(S17)(S18)）。
【００３５】
そして、温度監視ルーチンは、図４のフローチャートに示すように、温度センサー(4) の検知温度(T) が追焚き設定温度(T0)（例えば、３８℃〜４２℃）となるまで繰り返し実行される（ステップ(S49) ）。又、この温度監視ルーチンでは、燃焼開始から１分毎に検知温度(T) に基づいて上昇率(P) が算出される。
具体的には、燃焼開始から１分が経過したときに、その旨がステップ(S42) で判定されると、この時点に対して１分前の戻り湯の温度を意味する第２温度データ(T2)に第１温度データ(T1)の値を入れ（ステップ(S43) ）、更に、この時点での戻り湯の温度を意味する第１温度データ(T1)にこの時点での検知温度(T) の値を入れる（ステップ(S44) ）。続いて、第１温度データ(T1)から第２温度データ(T2)を差し引いてこの時点での上昇率(P) を算出する（ステップ(S45) ）。
【００３６】
そして、これらステップ(S43)(S44)(S45) の後に、第２タイマーをリセットしてこれの時間計測を再び「０」からスタートし、更に、１分経過時点でステップ(S43)(S44)(S45) を実行する。
このようにして、ステップ(S42) 〜(S46) によって、検知温度(T) に基づき上記戻り湯の温度の上昇率(P) が１分毎に検出される。
【００３７】
このものでは、上記した吸引口(1b)に被せられたフィルター(1c)の使用期間が長くなると、このフィルター(1c)の目詰りが進行して図１の矢印(M3)のような短絡循環の状態となることから、上記した上昇率(P) が大幅に大きくなる。そして、この上昇率(P) が所定値(P1)以上に達すると、その旨がステップ(S47) で判定される。
【００３８】
従って、所定値(P1)を、フィルター(1c)の目詰り状態に対応した値に設定することによって、前記目詰り状態にあることがこのステップ(S47) で判定されるものとなる。
このものでは、所定値(P1)は、熱交換器(33)での単位時間当りの追焚き加熱量を浴槽(8) 内で吐出口(1a)及び吸引口(1b)が水没して追焚き可能となる最小貯湯量（図１の二点鎖線で示す貯湯量）で除した値となっている。
【００３９】
この所定値(P1)は、熱交換器(33)での加熱量の全てを浴槽(8) 内の最小貯湯量の湯に付与した場合に於ける浴槽(8) 内の湯の温度の上昇率を意味するから、浴槽(8) 内の湯が最小貯湯量以上あるときに、浴槽(8) 内の湯の温度の上昇率、つまり、上記通常循環での戻り湯の温度の上昇率は、所定値(P1)よりも小さくなる。
【００４０】
従って、上昇率(P) が所定値(P1)以上に達した状態でフィルター(1c)が目詰り状態にあることとなる。
そして、図４のフローチャートで、上昇率(P) が所定値(P1)以上に達した旨が判定されると、目詰りランプ(63)がオンとなり（ステップ(S50) ）、これによって、使用者は、前記目詰り状態にあることがわかる。そして、使用者がフィルター(1c)の掃除や交換を行うと、フィルター(1c)の目詰りが解消される。
【００４１】
このものでは、温度監視ルーチンは、図４のフローチャートに示すように、検知温度(T) が追焚き設定温度(T0)となると終了し（ステップ(S49) ）、図３のフローチャートに示すステップ(S21) に戻ってガスバーナ(34)でのガス燃焼が終了する。
尚、前記目詰り状態のままで追焚き動作を実行した場合、上記短絡循環により浴槽(8) 内の湯が十分に昇温されていないのに検知温度(T) が追焚き設定温度(T0)に達して温度追焚き動作が終了することとなる。ところが、このものでは、図４のフローチャートのステップ(S48) によって、燃焼開始から３分経過時点までは、検知温度(T) に拘らず強制的にガス燃焼を継続させるようになっている。従って、前記目詰り状態でも最低限（３分間）の追焚き動作が確保される。
【００４２】
このものでは、燃焼終了すると、図３のフローチャートに示すように、上記した第１タイマー及び第２タイマーをオフとし（ステップ(S22) ）、更に、５秒待機した後にポンプ(37)をオフとする（ステップ(S23)(S24)）。この５秒間のポンプ運転によって、燃焼終了直後の追焚き循環用回路(3a)の湯の過熱（所謂、後沸き）が防止される。
【００４３】
尚、このものでは、浴槽(8) 内の貯湯量が上記最小貯湯量に対して足りず吸引口(1b)が水没していない場合には、追焚きスイッチ(61)がオンとなってポンプ(37)が作動しても追焚き循環用回路(3a)内で湯が流れないが、この場合、図３のフローチャートのステップ(S13)(S14)のように、水流スイッチ(36)がオンにならないことを判定して補助湯張ルーチンを実行するようにしている。
【００４４】
この補助湯張ルーチンでは、図５のフローチャートに示すように、一旦、ポンプ(37)をオフとした後に、６リットル湯張りの動作を実行する（ステップ(S31)(S32)）。この動作では、図１に示す湯張り給湯回路(25)に備えられた水弁(26)が開かれて、湯張り給湯回路(25)に設けられた流量カウンター（図示せず）が６リットルになるまで、給湯回路(2a)の湯が湯張り給湯回路(25)、往路(31)及び復路(32)を通じて浴槽(8) 内に供給される。
【００４５】
そして、図５のフローチャートに示すように、この６リットル湯張り後にポンプ(37)が再びオンとなり（ステップ(S33) ）、このとき、吸引口(1b)が水没している場合には、水流スイッチ(36)がオンとなってステップ(S34) での判定によって、この補助湯張りルーチンを終了して、図３のステップ(S15) に進む。
又、この６リットル湯張り後に吸引口(1b)が未だ水没していない場合には、水流スイッチ(36)がオンとならずステップ(S34) での判定によって、リモコンユニット(6) に備えられたブザー（図示せず）をオンとして、使用者に追焚き不可能であることを知らせる。尚、リモコンユニット(6) のリセットスイッチ(64)がオンとなると、このブザーがオフとなって、上記ステップ(S11) に戻る（ステップ(S35)(S36)）。
【００４６】
このものでは、上記したように、フィルター(1c)が目詰り状態になると、上記短絡循環により浴槽(8) 内の湯の温度が追焚き設定温度(T0)に達しないまま追焚き動作が終了するような不完全状態に陥るが、このとき、上記温度監視ルーチンのステップ(S47) でその旨が判定される。
そして、ステップ(S47) を実行する機能部から目詰り信号が出力され、この出力に応答して目詰りランプ(63)がオンとなる。従って、目詰りランプ(63)の報知によって、使用者がフィルター(1c)を掃除したり交換すると、前記不完全状態を解消できる。
【００４７】
つまり、前記目詰り状態となって追焚き動作が不完全状態に陥ったときに、この不完全状態を継続させないようにできる。
このものでは、吐出口(1a)及び吸引口(1b)が相互に近接した状態で循環口金(1) に形成されており、上記短絡循環となり易いから、前記不完全状態の継続の防止効果が特に顕著となる。
【００４８】
このものでは、上記したように、フィルター(1c)の目詰り状態を上記戻り湯の温度の単位時間当りの上昇率(P) が所定値(P1)以上に達したことで検知できるから、この目詰り状態を簡単な方法及び装置で確実に検知できるものとなる。又、上記目詰り信号を、上記した目詰りランプ(63)の制御の他、種々の制御信号として利用できる。
【００４９】
このものでは、所定値(P1)は、熱交換器(33)での単位時間当りの追焚き加熱量を、浴槽(8) 内にて吐出口(1a)及び吸引口(1b)が水没して追焚き可能となる最小貯湯量で除した値となっているから、様々な仕様の浴槽(8) 及び追焚き循環用回路(3a)に対応させる際、各々の追焚き加熱量及び最小貯湯量が容易にわかる。従って、上記した所定値(P1)を簡単に求めることができる。
【００５０】
このものでは、フィルター(1c)の掃除や交換の必要性のあるときに、その旨が自動的に報知されるから、使用者は、前記必要性を容易にわかるものとなる。
［他の実施の形態］
▲１▼．図６は、本願発明の他の実施の形態の追焚き制御プログラムを示すフローチャートである。
【００５１】
上記の実施の形態では、浴槽(8) 内の湯の温度が下がったときに使用者がその都度、追焚き動作を指示する構成としたが、浴槽(8) 内の湯が常時追焚き設定温度に維持されるように自動的に追焚き動作を実行する構成としてもよい。
この場合、図６のフローチャートに示すように、使用者がリモコンユニット(6) の自動追焚きスイッチ(62)をオンとして自動追焚きが指示されると（ステップ(S61) ）、浴槽(8) 内の湯の温度が下がり検知温度(T) が追焚き設定温度(T0)−１．５℃となったときに、この旨がステップ(S62) で判定されて、上記した図３のフローチャートの内のステップ(S12) 〜(S24) が実行される。これによって、浴槽(8) 内の湯が追焚きされる。そして、この自動追焚き動作は、使用者が自動追焚きスイッチ(62)をオフとするまで、検知温度(T) が追焚き設定温度(T0)−１．５℃に下がる毎に繰り返し実行される（ステップ(S63)(S62)）。
【００５２】
尚、この自動追焚き動作をその開始から所定時間（例えば、４時間）経過した時点で終了する構成としてもよい。
▲２▼．図７は、本願発明の更に他の実施の形態の風呂追焚き装置の説明図である。
上記の実施の形態では、吐出口(1a)及び吸引口(1b)は、相互に近接した状態で循環口金(1) に形成されているが、浴槽(8) 内で並設されているかぎり、例えば、同図に示すように、相互に別体の金具により形成されて上下に離れて位置する構成でもよい。又、同図に示すように、吐出口(1a)を吸引口(1b)よりも上方に配置してもよい。
【００５３】
▲３▼．上記の実施の形態では、検知温度(T) が追焚き設定温度(T0)に達した時点で追焚き動作を終了させる自動終了機能を有するものとしたが、この自動終了機能を有しないものでは、上記短絡循環により浴槽(8) 内の湯が十分に昇温されないという不完全状態を継続させないようにできる。
▲４▼．上記の実施の形態では、フィルター(1c)が目詰り状態にあることが判定されると、ＬＥＤからなる目詰りランプ(63)が点灯する構成としたが、この報知器としては、目詰りランプ(63)の他、文字等を表示したり、ブザーやチャイム等を鳴らすものでもよい。
【００５４】
▲５▼．上記の実施の形態では、フィルター(1c)が目詰り状態にあることを判定して報知器としての目詰りランプ(63)をオンとする構成としたが、この目詰りに対処する手段としては、この報知器の他、例えば、前記判定の出力に応答して、フィルター(1c)に捕集された汚物を取り除く為の除去装置を作動状態とするものでもよい。
【００５５】
この除去装置としては、フィルター(1c)を洗浄する洗浄器でもよく、この洗浄器としては、例えば、図１の(100) 内の二点鎖線に示すように、復路(32)に連通接続され且つ復路(32)を通じて(1c)に裏側から水を噴きつける洗浄器(7) を採用してもよい。
更に、前記目詰りに対処する手段としては、追焚き制御回路(5) に備えられ且つ前記判定出力に応答して追焚き動作モードを変更する機能部としてもよい。追焚き動作モードを変更するものとしては、例えば、追焚き循環用回路での湯の強制循環流量を増大させるものを採用してもよい。
【００５６】
▲６▼．上記の実施の形態では、所定値(P1)は、上記した熱交換器(33)での単位時間当りの追焚き加熱量と浴槽(8) での追焚き可能となる最小貯湯量とから算出した値となっているが、所定値(P1)は、テスト等で経験的に求めた値としてもよい。
▲７▼．上記の実施の形態では、追焚き循環用回路(3a)を、浴槽(8) との間で湯を強制循環させる構成としたが、この他、湯の自然対流作用を用いて循環させる構成としてもよい。
【００５７】
又、追焚き循環用回路(3a)にて湯を加熱する為の加熱部としては、熱交換器(33)の他、ヒータ等でもよい。
▲８▼．上記の実施の形態では、温度センサー(4) を復路(32)に於ける循環口金(1) よりも下流側の管路に設けたが、復路(32)で上記戻り湯の温度を検知するかぎり、例えば、循環口金(1) に於いて、口金本体(10)内であって供給管(11)の外部に設けてもよい。
【図面の簡単な説明】
【図１】本願発明の実施の形態に於ける風呂追焚き装置の構成の概要を示す図
【図２】図１の風呂追焚き装置の循環口金(1) の組立斜視図
【図３】図１の追焚き装置の追焚き制御プログラムを示すフローチャート
【図４】図３の温度監視ルーチンを示すフローチャート
【図５】図３の補助湯張ルーチンを示すフローチャート
【図６】本願発明の他の実施の形態の追焚き制御プログラムを示すフローチャート
【図７】本願発明の更に他の実施の形態の風呂追焚き装置の説明図
【図８】従来の風呂追焚き装置の構成の概要を示す図
【符号の説明】
(100) ・・・器具本体
(1) ・・・循環口金
(3a)・・・追焚き循環用回路
(31)・・・往路
(32)・・・復路
(1a)・・・吐出口
(1b)・・・吸引口
(1c)・・・フィルター
(4) ・・・温度センサー
(5) ・・・追焚き制御回路
【図１】
0003655998.tif 000002
【図２】
0003655998.tif 000003
【図３】
0003655998.tif 000004
【図４】
0003655998.tif 000005
【図５】
0003655998.tif 000006
【図６】
0003655998.tif 000007
【図７】
0003655998.tif 000008
【図８】
0003655998.tif 000009